(57)【要約】【課題】小型・軽量でありながら、長寿命で大量のイオンを含んだ微細水滴の噴霧が可能であり、脱臭・除菌・殺菌・防カビ・アレルゲン除去効果の高い空気浄化装置を提供する。【解決手段】導電性材料で形成され、液体の流路となる貫通穴を有した、中空で細いノズル６の液体出口側の先端断面が、水３の吐出方向に対して直角となることを特徴とし、水３を溜める容器２と、容器２に貯めた水３を押出する小型のポンプ５と、ポンプ５によって押し出された水３を搬送する水路４と、水路４を通って搬送された水３を噴霧するための細いノズル６と、ノズル６と同心円上且つ中心がノズル６の先端部よりも前方に来るように配置されたリング状の対向電極７と、ノズル６及び対向電極７との間に高電圧を印加する電圧印加部８とを備え、前記ノズル６と前記対向電極７に高電圧を印加し、前記ノズル６の先端から噴霧された液滴１０を微細化することを特徴とする空気浄化装置。【選択図】図１
2006305321.tif 000002
【特許請求の範囲】
【請求項１】
導電性材料で形成され、液体の流路となる貫通穴を有した中空で細いノズルの液体出口側の先端断面が、水の吐出方向に対して直角となることを特徴とし、水を溜める容器と、容器内の水をノズルに搬送する搬送手段と、ノズル近傍に配置された少なくともひとつの対向電極と、ノズルと対向電極に電位差を与える電圧印加部とを備え、ノズルと対向電極に電位差を与え、ノズル先端から微細水滴を噴霧することを特徴とする空気浄化装置。
【請求項２】
微細水滴を送風機で広い範囲の空間に搬送することを特徴とする請求項１記載の空気浄化装置。
【請求項３】
対向電極をリング状電極とし、ノズルと同心円上且つ、リング状電極の中心がノズルの先端部よりも前方に来るように配置したことを特徴とする請求項１または２記載の空気浄化装置。
【請求項４】
対向電極で捕らえた水滴を再び容器に回収することを特徴とする請求項３記載の空気浄化装置。
【請求項５】
対向電極をリング状電極とし、ノズルと同心円上且つ、リング状電極の中心がノズルの先端部よりも後方に来るように配置したことを特徴とする請求項１または２記載の空気浄化装置。
【請求項６】
リング状電極の外周に脱臭剤を担持したフィルタ材を配置したことを特徴とする請求項１乃至５いずれかに記載の空気浄化装置。
【請求項７】
脱臭剤に触媒物質を担持させたことを特徴とする請求項６記載の空気浄化装置。
【請求項８】
フィルタ材がハニカム状に形成されたセラミック、樹脂繊維混抄紙、不織布または発砲ウレタンフォームであることを特徴とする請求項６または７記載の空気浄化装置。
【請求項９】
リング状電極に多数の通気孔を設けたことを特徴とする請求項６乃至８いずれかに記載の空気浄化装置。
【請求項１０】
搬送手段が圧電素子を用いたダイヤフラム式の小型ポンプであることを特徴とする請求項１乃至９いずれかに記載の空気浄化装置。
【請求項１１】
ダイヤフラム式の小型ポンプに与える電圧及び周波数を制御し、搬送する水の量を制御することで、空中に噴霧する微細水滴の量を任意に変化させることを特徴とする請求項１０記載の空気浄化装置。
【請求項１２】
容器とノズルを直結し、容器内の水の自重により、ノズルに水を搬送することを特徴とする請求項１乃至９いずれかに記載の空気浄化装置。
【請求項１３】
容器とノズルの間に抵抗体を設け、水の落下速度を制御することを特徴とする請求項１２記載の空気浄化装置。
【請求項１４】
ノズルの内径が０．１ｍｍから１ｍｍの間であることを特徴とする請求項１乃至１３いずれかに記載の空気浄化装置。
【請求項１５】
微細水滴が除菌あるいは抗ウィルス成分を含むことを特徴とする請求項１乃至１４いずれかに記載の空気浄化装置。
【請求項１６】
除菌あるいは抗ウィルス成分がカテキン、タンニン酸、銀錯体イオン、次亜塩素酸イオン、過酸化水素、もしくはアルコールであることを特徴とする請求項１５記載の空気浄化装置。
【請求項１７】
微細水滴が脱臭作用を有する成分を含むことを特徴とする請求項１乃至１４いずれかに記載の空気浄化装置。
【請求項１８】
脱臭成分がゼオライト、ビタミン等、化学あるいは物理吸着作用を有する成分であることを特徴とする請求項１７記載の空気浄化装置。
【請求項１９】
脱臭成分が過酸化水素、酸化チタン等、酸化作用を有する成分であることを特徴とする請求項１７記載の空気浄化装置。
【請求項２０】
微細水滴が抗アレルゲン作用を有する成分を含むことを特徴とする請求項１乃至１４いずれかに記載の空気浄化装置。
【請求項２１】
抗アレルゲン成分がカテキン、タンニン酸、還元剤であることを特徴とする請求項２０記載の空気浄化装置。
【請求項２２】
微細水滴がアロマ成分を含むことを特徴とする請求項１乃至１４いずれかに記載の空気浄化装置。
【請求項２３】
アロマ成分がローズマリー、ミント、ラベンダー、もしくはフィトンチッドの抽出成分であることを特徴とする請求項２２記載の空気浄化装置。
【請求項２４】
ノズル部の上流側に上記成分を担持した不織布を設けたことを特徴とする請求項１乃至２３いずれか記載の空気浄化装置。
【請求項２５】
請求項１乃至２４いずれかに記載の空気浄化装置を備えることを特徴とした空気清浄機。
【請求項２６】
請求項１乃至２４いずれかに記載の空気浄化装置を備えることを特徴とした加湿器。
【発明の詳細な説明】
【技術分野】
【０００１】
本発明は、静電霧化技術を利用した、室内に浮遊する悪臭、浮遊菌、カビ、アレルゲン物質などを空中内で捕捉して、除去するための空気浄化装置に関するものである。
【背景技術】
【０００２】
従来から、静電霧化の技術を利用して、集塵、脱臭、殺菌を行うものが特許文献１や特許文献２等により提案されている。ここで、静電霧化とは、水等の液体に高電圧を印加すると、表面に働く静電気力によって不安定になり、液面や液滴が分裂して水が霧化する現象のことである。
【０００３】
上記特許文献１に示されるものにあっては、毛細管作用を有する合成樹脂芯体の外面に導電性皮膜を施したノズルと対向電極とを備え、電圧を印加することで芳香液や消臭液を微細な液体にして飛翔させるようにしたものであり、また、上記特許文献２に示されるものにおいては、空気清浄機内部のフィルタの下流部に配置された水タンクと水タンクより水を搬送する棒状吸水体と棒状吸水体に対向するように配置された対向電極と、棒状吸水体と対向電極との間に高電圧を印加する電圧印加部とを備え、棒状給水体と対向電極との間に高電圧を印加することにより棒状給水体の先端の水が霧化してミストを発生させ、フィルタにより浄化された空気と共に、ミストを室内に拡散させるようにしたものである。
【０００４】
また、微細化した水粒を利用して脱臭フィルタの再生を行うものが特許文献３により提案されている。
【０００５】
上記特許文献３に示されるものにあっては、噴霧針により生成された微細水粒が放電部を通過する際にＯＨラジカルが生成され、通過する空気中の悪臭物質を分解する。このとき除去し切れなかった疎水性ガスは後段に設置された脱臭フィルタで除去し、悪臭物質が少ない空気が通過するときにはＯＨラジカルは脱臭フィルタに吸着した悪臭物質を分解し、脱臭フィルタを再生するものである。
【特許文献１】特許第２５８７２９８号公報
【特許文献２】特開２００４−８５１８５号公報
【特許文献３】特開２００３−２７５２９１号公報
【発明の開示】
【発明が解決しようとする課題】
【０００６】
上記特許文献１に示された従来例にあっては、ノズル作成に当たり、合成樹脂の外面を銅などの導電性に富んだ金属で蒸着して被覆を施すため、ノズルの製造工程が多くなり、コストも高くなる。また、ノズル先端部の形状に特に工夫が施されておらず、効率的に静電霧化が起こっているとは言えなかった。さらに、毛細管現象を利用した給水方式であり、液体輸送量を制御する手段を備えていないことから任意の量の液体を必要なときに供給する構造となっていない。
【０００７】
一方、上記特許文献２に示された従来例にあっては、水を搬送する手段として吸水材を用いているため強制的に水を搬送することができず、霧化量としては微量であり、室内空間全体に微細水を行き渡らせるには不十分であるといえる。
【０００８】
一方、上記特許文献３に示された従来例にあっては、噴霧針から生成される水粒は空気を加湿するほどの噴霧量であり、ラジカル発生部と脱臭フィルタとの間に除湿部を設ける必要があるため、除湿部によってラジカルが消失してしまい、脱臭フィルタを再生するに十分なラジカルを供給できているとはいえない。また、除湿されて水分を含んでいないラジカルは非常に短寿命であり、脱臭フィルタに到達できるラジカルは極少量であるといえる。
【０００９】
本発明は、このような従来の課題を解決するものであり、単純な構造のノズルでありながら、効率よく静電霧化することで、装置の小型、軽量、低コスト化を実現できる。また、水の噴霧量を任意に制御することにより、室内の状況に応じて使用することができ、長寿命で大量のイオンを含んだ微細水滴の噴霧が可能な、脱臭・除菌・殺菌・防カビ・アレルゲン除去効果の高い空気浄化装置を提供することができる。また、微細水滴発生部近傍に配置した脱臭材を効率よく再生し、常に高い脱臭性能を維持することができる。
【課題を解決するための手段】
【００１０】
上記目的を達成するために、本発明の空気浄化装置は請求項１記載の通り、導電性材料で形成され、液体の流路となる貫通穴を有した、中空で細いノズルの液体出口側の先端断面が、水の吐出方向に対して直角となることを特徴とし、水を溜める容器と、前記容器内の水を前記ノズルに搬送する搬送手段と、前記ノズル近傍に配置された少なくともひとつの対向電極と、前記ノズルと前記対向電極に電位差を与える電圧印加部とを備え、前記ノズルと前記対向電極に電位差を与え、前記ノズル先端から微細水滴を噴霧することを特徴とするものである。
【００１１】
また、請求項２記載の空気浄化装置は、請求項１記載の空気浄化装置において、微細水滴を送風機で広い範囲の空間に搬送することを特徴とするものである。
【００１２】
また、請求項３記載の空気浄化装置は、請求項１または２記載の空気浄化装置において、対向電極をリング状電極とし、ノズルと同心円上且つ、前記リング状電極の中心が前記ノズルの先端部よりも前方に来るように配置したことを特徴とするものである。
【００１３】
また、請求項４記載の空気浄化装置は、請求項３記載の空気浄化装置において対向電極で捕らえた水滴を再び容器に回収することを特徴とするものである。
【００１４】
また、請求項５記載の空気浄化装置は、請求項１または２記載の空気浄化装置において、対向電極をリング状電極とし、ノズルと同心円上且つ、前記リング状電極の中心が前記ノズルの先端部よりも後方に来るように配置したことを特徴とするものである。
【００１５】
また、請求項６記載の空気浄化装置は、請求項１乃至５いずれかに記載の空気浄化装置において、リング状電極の外周に脱臭剤を担持したフィルター材を配置したことを特徴とするものである。
【００１６】
また、請求項７記載の空気浄化装置は、請求項６記載の空気浄化装置において、脱臭剤に触媒物質を担持させたことを特徴とするものである。
【００１７】
また、請求項８記載の空気浄化装置は、請求項６または７記載の空気浄化装置において、フィルタ材がハニカム状に形成されたセラミック、樹脂繊維混抄紙、不織布または発砲ウレタンフォームであることを特徴とするものである。
【００１８】
また、請求項９記載の空気浄化装置は、請求項６乃至８いずれかに記載の空気浄化装置において、リング状電極に多数の通気孔を設けたことを特徴とするものである。
【００１９】
また、請求項１０記載の空気浄化装置は、請求項１乃至９いずれかに記載の空気浄化装置において、搬送手段が圧電素子を用いたダイヤフラム式の小型ポンプであることを特徴とするものである。ここで、圧電素子とは電気エネルギーを機械エネルギーに変換する素子である。具体的には内部に向きと大きさが変動する電場を与えることで微小変位の伸縮運動をする素子であり、ダイヤフラム式とはポンプ室の一部を弾性の隔膜（ダイヤフラム）で形成し、隔膜の伸縮運動によりポンプ室の容積を増減させ、さらにポンプの入り口と出口にそれぞれ逆止弁を設置することで液体や気体を一方方向に流す輸送方式であり、圧電素子を用いたダイヤフラム式ポンプとは、圧電素子によって隔膜を上下運動させることで液体や気体の搬送を行うポンプのことである。
【００２０】
また、請求項１１記載の空気浄化装置は、請求項１０記載の空気浄化装置において、ダイヤフラム式ポンプに与える電圧及び周波数を制御し、搬送する水の量を制御することで、空中に噴霧する微細水滴の量を任意に変化させることを特徴とするものである。
【００２１】
また、請求項１２記載の空気浄化装置は、請求項１乃至９いずれかに記載の空気浄化装置において、容器とノズルを直結し、前記容器内の水の自重により、前記ノズルに水を搬送することを特徴とするものである。
【００２２】
また、請求項１３記載の空気浄化装置は、請求項１２記載の空気浄化装置において、容器とノズルの間に抵抗体を設け、水の落下速度を制御することを特徴とするものである。
【００２３】
また、請求項１４記載の空気浄化装置は、請求項１乃至１３いずれかに記載の空気浄化装置において、ノズルの内径が０．１ｍｍから１ｍｍの間であることを特徴とするものである。
【００２４】
また、請求項１５記載の空気浄化装置は、請求項１乃至１４いずれかに記載の空気浄化装置において、微細水滴が除菌あるいは抗ウィルス成分を含むことを特徴とするものである。
【００２５】
また、請求項１６記載の空気浄化装置は、請求項１５記載の空気浄化装置において、除菌あるいは抗ウィルス成分がカテキン、タンニン酸、銀錯体イオン、次亜塩素酸イオン、過酸化水素、もしくはアルコールであることを特徴とするものである。
【００２６】
また、請求項１７記載の空気浄化装置は、請求項１乃至１４いずれかに記載の空気浄化装置において、微細水滴が脱臭作用を有する成分を含むことを特徴とするものである。
【００２７】
また、請求項１８記載の空気浄化装置は、請求項１７記載の空気浄化装置において、脱臭作用を有する成分がゼオライト、ビタミン等の化学吸着あるいは物理吸着作用を有する成分であることを特徴とするものである。
【００２８】
また、請求項１９記載の空気浄化装置は、請求項１７記載の空気浄化装置において、脱臭作用を有する成分が過酸化水素、酸化チタン等、酸化作用を有する成分であることを特徴とするものである。
【００２９】
また、請求項２０記載の空気浄化装置は、請求項１乃至１４いずれかに記載の空気浄化装置において、微細水滴が抗アレルゲン作用を有する成分を含むことを特徴とするものである。
【００３０】
また、請求項２１記載の空気浄化装置は、請求項２０記載の空気浄化装置において、抗アレルゲン作用を有する成分がカテキン、タンニン酸、還元剤であることを特徴とするものである。
【００３１】
また、請求項２２記載の空気浄化装置は、請求項１乃至１４いずれかに記載の空気浄化装置において、微細水滴がアロマ成分を含むことを特徴とするものである。
【００３２】
また、請求項２３記載の空気浄化装置は、請求項２２記載の空気浄化装置において、アロマ成分がローズマリー、ミント、ラベンダー、フィトンチッドの抽出成分であることを特徴とするものである。
【００３３】
また、請求項２４記載の空気浄化装置は、請求項１乃至２３いずれかに記載の空気浄化装置において、ノズル部の上流側に上記成分を担持した不織布を設けることを特徴とするものである。
【００３４】
また、請求項２５記載の空気清浄機は、請求項１乃至２４いずれかに記載の空気浄化装置を備えることを特徴としたものである。
【００３５】
また、請求項２６記載の加湿器は、請求項１乃至２４いずれかに記載の空気浄化装置を備えることを特徴としたものである。
【発明の効果】
【００３６】
本発明によれば、小型、軽量、低コスト、低騒音でありながら、長寿命で大量のイオンあるいは活性基を含んだ微細水滴の噴霧が可能であり、脱臭・除菌・殺菌・防カビ・抗アレルゲン作用、リフレッシュ効果の高い空気浄化装置を提供することができる。また、微細水滴発生部近傍に配置した脱臭材を効率よく再生し、常に高い脱臭性能を維持することができる。また、上記空気浄化装置を利用して空気清浄効果の高い空気清浄機や加湿器を提供することができる。
【発明を実施するための最良の形態】
【００３７】
本発明によると、請求項１記載の発明は、導電性材料で形成され、液体の流路となる貫通穴を有した、中空で細いノズルの液体出口側の先端断面が、水の吐出方向に対して直角となることを特徴とし、水を溜める容器と、前記容器内の水を前記ノズルに搬送する搬送手段と、前記ノズル近傍に配置された少なくともひとつの対向電極と、前記ノズルと前記対向電極に電位差を与える電圧印加部とを備え、前記ノズルと前記対向電極に電位差を与え、前記ノズル先端から微細水滴を噴霧することを特徴とするものである。
【００３８】
ノズルに高電圧を印加し、対向電極をアースに接続して電位差を与えると、ノズルと対向電極間で発生する電界により、液滴はその液端が引っ張られてテーラーコーンと称される円錐形を成し、その頂点からは極細の液糸が引き出される現象が知られている。これは、液滴の表面電荷密度が臨界値に達したとき、電荷の総和を大きく保つために表面積を増やそうとする静電気力と、液体に働く表面張力の相互作用によるものである。水滴がつくりだすこのテーラーコーンは水が導体であるため、それ自体が極細の先端をもつ電極となり、著しく電荷集中した液糸の先端では静電気力が液体の表面張力を打ち消して分裂し、容易に霧化を生じる。つまり、静電霧化を起こす上で、テーラーコーンを作り出すことはとても重要なことである。ノズルの先端断面を水の吐出方向に対して直角にすることによって、ノズル断面から吐出する水滴は、その吐出方向先端でその径が最小になって電荷が集中するため、テーラーコーンが形成しやすくなるという作用を有する。また、ノズル近傍に対向電極を設置して、ノズルに高電圧を印加し、対向電極をアースに接続することでノズルから噴霧された水滴は過剰の電荷が与えられ、そして過剰に与えられた電荷を保持するだけの表面積を得ようとして分裂を起こすことによってさらに微細化され、イオン風に乗せて放出できる。また、ノズルと対向電極との間の大きな電位差のために起こる極微小の放電によってノズル近傍に存在する空気分子の一部は電離し、イオンおよび活性基に変換されると同時に、ノズルから噴霧された水滴に溶け込むことによって、イオンおよび活性基を水滴に内包させることができる。ここでいうイオンとは酸素や水蒸気などの気体分子が電子と衝突して電離する際に得られる空気イオンのことであり、具体的には酸素に電子が結合したＯ2-などが挙げられる。また活性基とは酸素や水蒸気などの気体分子が電離する際に得られる酸化作用の強い反応体であり、具体的にはＯＨ・（ＯＨラジカル）等が挙げられる。なお、ノズル近傍とは、電極間に極微少の放電電流が流れ得る距離であり、例えば、マイナス数ｋＶの電圧をノズルに印加する場合、対向電極は１０ｍｍ〜１５ｍｍ程度離すと良い。
【００３９】
また、請求項２記載の発明は、微細水滴を送風機で広い範囲の空間に搬送することを特徴とするものである。
【００４０】
静電霧化により微細化された水滴は、送風機の風で容易に細かく砕かれ、さらに微細化しイオン化する。目に見えなくなるほど微細化した水滴は、送風機の風に乗って室内の広い範囲にわたって拡散させることができるという作用を有する。
【００４１】
また、請求項３記載の発明は、対向電極をリング状電極とし、ノズルと同心円上且つ、前記リング状電極の中心が前記ノズルの先端部よりも前方に来るように配置したことを特徴とするものである。
【００４２】
こうすることで、ノズル先端から引き出された液糸がリングの中心を通過する際に対向電極から過剰の電荷を与えられ、更に微細化されるという作用を有する。また、凝集によって大きくなった水滴をリングで捕らえることで、微細水滴のみを室内に噴霧することができるという作用を有する。
【００４３】
また、請求項４記載の発明は、上記対向電極で捕らえた水滴を再び容器に回収することを特徴とするものである。
【００４４】
これは、上記容器を対向電極の下側に設置することが最も簡便であるが、それができない場合は対向電極と容器の間に水路を設けてもよい。こうすることで、凝集した水滴は再び容器に回収されるため、タンク内の水を入れ替える負担が軽減されるという作用を有する。
【００４５】
また、請求項５記載の発明は、対向電極をリング状電極とし、ノズルと同心円上且つ、前記リング状電極の中心が前記ノズルの先端部よりも後方に来るように配置したことを特徴とするものである。
【００４６】
静電霧化によりイオン化した微細水滴は後方から対向電極による引力を受ける。しかし、ノズルより吐出される勢いが勝るため、微細水滴がノズルを中心として同心円上に広角に拡散される。そのため、凝集によって水滴を大きくさせることなく、また対向電極に付着させることなく全ての微細水滴を室内に供給することができるという作用を有する。
【００４７】
また、請求項６記載の発明は、上記リング状電極の外周に脱臭剤を担持したフィルタ材を配置したことを特徴とするものである。
【００４８】
こうすることで、イオンあるいは活性基を内包した微細水滴の一部は、対向電極外周のフィルタ材に担持された脱臭剤に付着することで脱臭剤に吸着した悪臭物質を分解除去し、脱臭剤を再生するという作用を有する。
【００４９】
さらに、請求項７記載の発明は、上記吸着剤に触媒物質を担持させたことを特徴とするものである。
【００５０】
白金やパラジウムなどの貴金属あるいは酸化チタンや二酸化マンガン、酸化亜鉛などの金属酸化物は触媒物質として悪臭物質を強い酸化作用で分解除去する能力を持っていることが知られており、さらにそれら触媒物質を活性炭やゼオライトのような多孔性担体に担持することで脱臭性能の向上または吸着剤の再生に効果があることが知られている。しかし、使用時間や使用条件によっては触媒表面に汚れが堆積し、性能が徐々にあるいは急激に低下する問題が生じるために特別な再生処理等が必要であった。
【００５１】
こうすることで脱臭剤表面や細孔内部及び触媒表面に堆積した汚れを微細水滴及び微細水滴内部に内包されたイオンあるいは活性基によって浄化されることで触媒は常に清浄に保たれ、吸着剤に吸着した悪臭物質の分解を促進し、再生効率を高めることができるという作用を有する。
【００５２】
また、請求項８記載の発明は、上記フィルタ材がハニカム状に形成されたセラミックまたは樹脂繊維混抄紙、不織布、発砲ウレタンフォームであることを特徴とするものである。
【００５３】
こうすることで、フィルタ材は耐水性を有し、微細水滴が付着しても劣化することなく脱臭剤を担持することができ、且つフィルタの接触面積を高めることでフィルタのガス吸着及び再生を効率よく行うことが出来るという作用を有する。
【００５４】
また、請求項９記載の発明は、上記リング状電極に通気孔を設けたことを特徴とするものである。
【００５５】
こうすることで、対向電極から過剰の電荷を与えられ、更に微細化された水滴が通気孔を通ってフィルタ材と容易に接触し、脱臭剤に吸着した悪臭物質を分解除去することで脱臭剤を再生する効率を高めるという作用を有する。
【００５６】
また、請求項１０記載の発明は、搬送手段が圧電素子を用いたダイヤフラム式の小型ポンプであることを特徴とするものである。
【００５７】
近年、パソコンなどの精密機械の冷却システムや医療分野における薬液搬送装置、その他様々な分野でマイクロポンプと称される微少量の液体や気体の輸送制御が可能なポンプの開発が盛んに行われている。その輸送機構は実に様々であるが、中でも圧電素子に交流電圧を印加して機械運動を起こさせ、圧電素子と重なるように設けられた弁を備えた隔膜を上下に動かすことによって液体の吸引と押出を同時に行うマイクロポンプは機構が単純であるため、小型、軽量であるだけでなく、低コスト化が実現される。さらに、モーターや回転軸を使わず駆動源として圧電素子を用いていることから、低消費電力、低騒音、低電磁ノイズが実現される。また、他の輸送機構よりも低流量が可能であり、流量としては数ｍｌ／ｍｉｎ程度である。さらに、ダイヤフラムを任意の振幅および速度で運動させることにより、一定かつ任意の量の水を供給することが可能である。
【００５８】
これにより空気浄化装置の小型、軽量、さらに低コスト、低騒音化が可能である。しかも、流量が数十μｌ〜数ｍｌ／ｍｉｎ程度であるならば、水を溜める容器も大きいものを必要とせず、装置の小型化に都合が良い。さらにこの流量であれば湿度にはほとんど影響はなく、しかも静電霧化で微細水滴として存在するため家庭やオフィスなどの比較的狭い室内空間であっても結露する心配はなく、人が生活する場においても快適性を損なうことはない。且つ、長寿命で多量のイオンを含んだ微細水が室内空間を浄化し得るには十分な量である。さらにダイヤフラム式マイクロポンプは搬送物質を自ら吸引できる自己吸引性をもつために、ポンプをタンクの下側に配置する必要がなく、装置のフリーレイアウトが可能である。
【００５９】
さらに、請求項１１記載の発明は、上記ダイヤフラム式ポンプに与える電圧及び周波数を制御し、空中に噴霧する微細水滴の量を任意に変化させることを特徴とするものである。
【００６０】
ダイヤフラム式ポンプの駆動源である圧電素子は印加する電圧および周波数を変化させることによって機械運動の振幅の幅および速度が変化する。これにより、印加する電圧および周波数を制御することで空気浄化に必要な水の供給量を必要に応じて制御することができるという作用を有する。
【００６１】
また、請求項１２記載の発明は、容器とノズルを直結し、前記容器内の水の自重により、前記ノズルに水を搬送することを特徴とするものである。
【００６２】
こうすることでポンプ等の液体搬送手段を持たなくとも、ノズル先端から水を吐出することが可能であり、装置の低コスト化になる。
【００６３】
さらに、請求項１３記載の発明は、容器とノズルの間に抵抗体を設け、水の落下速度を制御することを特徴とするものである。
【００６４】
抵抗体としては砂のような細かい粒子を敷き詰めたものや、濾紙のような微細孔が設けられた形状のものなど、水の落下速度を遅らせることができるものなら如何なるものでも良いが、ノズルの内径に合わせて抵抗体を選定し、テーラーコーンを形成し得ることが重要である。
【００６５】
また、請求項１４記載の発明は、ノズルの内径が０．１ｍｍから１ｍｍの間であることを特徴とするものである。
【００６６】
ノズルの内径が大きすぎると電荷集中が起こらず、テーラーコーンが形成されない。また、逆に小さすぎると静電霧化によって微細水滴を放出するスピードが、液滴ができるスピードに追いつかず、静電霧化が起こる前に大きな液滴となって飛散してしまう。この範囲にすることで、テーラーコーンをうまく形成することができ、効率よく静電霧化を起こすことができるという作用を有する。
【００６７】
また、請求項１５記載の発明は微細水滴が除菌および／あるいは抗ウィルス成分を含むことを特徴とするものである。
【００６８】
イオンを含んだ微細水滴は、除菌および抗ウィルス効果を有しており、微細水滴の噴霧により室内空間の除菌およびウィルスを除去することは可能であるが、微細水滴に上記成分を含有することでその効果をより一層高めることが可能である。また、貯水タンク内の水に上記成分を含ませておけば、貯水タンク内の菌発生を抑制することもできるという作用を有する。
【００６９】
上記成分としては請求項１６に記載するようにカテキン、タンニン酸、銀錯体イオン、次亜塩素酸イオン、過酸化水素エタノール等アルコール類などが挙げられるが、水溶性で除菌および／あるいは抗ウィルス効果を有している物質であればなんら限定されるものではない。
【００７０】
また、請求項１７記載の発明は微細水滴が脱臭成分を含むことを特徴とするものである。
【００７１】
イオンを含んだ微細水滴は、脱臭効果を有しており、微細水滴の噴霧により室内空間の脱臭は可能であるが、微細水滴に上記脱臭成分を含有することでその効果をより一層高めることができるという作用を有する。
【００７２】
上記脱臭成分としては請求項１８および１９に記載するようにゼオライト、ビタミン等、化学吸着あるいは物理吸着作用を有する成分、過酸化水素、酸化チタン等、酸化作用を有する成分が挙げられる。
【００７３】
また、請求項２０記載の発明は微細水滴が抗アレルゲン作用を有する成分を含むことを特徴とするものである。
【００７４】
イオンを含んだ微細水滴は、抗アレルゲン作用を有しており、微細水滴の噴霧により室内空間のアレルゲンの不活化は可能であるが、微細水滴に上記抗アレルゲン作用を有する成分を含有することでその効果をより一層高めることができるという作用を有する。
【００７５】
上記抗アレルゲン作用を有する成分としては請求項２１に記載するようにカテキン、タンニン酸、還元剤等が挙げられる。
【００７６】
また、請求項２２記載の発明は微細水滴がアロマ成分を含むことを特徴とするものである。
【００７７】
イオンを含んだ微細水滴はリフレッシュ作用を有しており、微細水滴の噴霧によりリフレッシュ効果を高めることが可能であるが、微細水滴に上記アロマ成分を含有することでその効果をより一層高めることができるという作用を有する。
【００７８】
上記アロマ成分としては請求項２３に記載するようにローズマリー、ミント、ラベンダー、フィトンチッド等の抽出成分が挙げられるが、アロマ効果を有している物質であればなんら限定されるものではない。
【００７９】
また、請求項１６、１８、１９、２１、２３記載の上記成分を担持した不織布をノズル部の上流側に設けるのも良い。これにより、ポンプによって搬送された水に不織布に担持された上記成分が溶け込み、それら上記成分の溶け込んだ水がノズル部によって微細化され室内空間に上記成分を拡散することができるという作用を有する。
【００８０】
請求項２５記載の空気清浄機は、上記請求項１乃至２４に記載の空気浄化装置を備えることを特徴とするものである。上記請求項１乃至２４に記載の空気浄化装置を、空気清浄フィルタ、送風機を有する空気清浄機に積み込み、イオンおよび活性基を含んだ微細水滴を室内に供給することによって、取り込んだ空気中に含まれる粉塵や臭気成分、もしくは菌やウィルス、アレルゲン等を空気清浄フィルタによって分離、除去、不活化するのみならず、室内空間に存在するこれら有害成分をも分解もしくは不活化することができるという作用を有する。
【００８１】
請求項２６記載の加湿器は、請求項１乃至２４記載の空気浄化装置と、送風手段とを備え、上記空気浄化装置により発生した微細水滴を上記送風手段によって更に微細化し、高湿度な空気を室内へ供給することを特徴とするものである。
【００８２】
これにより、加湿フィルタ等の加湿構造体を必要とせず、加湿器本体の小型化が可能となる。また、ヒーター等の空気加熱手段を上記送風手段と上記空気浄化装置の間に設けるのも良い。これにより、微細水滴を気化させて加湿効率を上げることが可能となるという作用を有する。
【００８３】
以下、本発明の実施の形態について図面を参照しながら説明する。
【００８４】
（実施の形態１）
本発明の空気浄化装置を図１に示す。図１に示すように、空気浄化装置１は、水を溜める容器２と、容器２に貯めた水３を押出する小型のポンプ５と、ポンプ５によって押し出された水３を搬送する水路４と、水路４を通って搬送された水３を噴霧するための細いノズル６と、ノズル６と同心円上且つ中心がノズル６の先端部よりも前方に来るように配置されたリング状の対向電極７と、ノズル６及び対向電極７との間に電位差を与える電圧印加部８とを備えてなり、容器２に貯めた水３をポンプ５により、水路４を通ってノズル６へ搬送かつ押出することでノズル６の先端部から液滴１０が吐出される。このときノズル６に高電圧を印加して、対向電極７をアースに接続することで、液滴１０の液端から液糸１１が引き出され、さらに液糸１１の先端から静電霧化により微細化された微細水滴１２が放出される。微細水滴１２は送風機９によってさらに細かくされ、室内空間の広範囲に亘って供給される。この微細水滴１２はイオンあるいは活性基を含んでいるため反応性が高く、除菌、脱臭、殺菌などの効果を有する。また対向電極７の外周には脱臭剤１５を担持したフィルタ材１３が配置され、さらに脱臭剤１５には触媒物質１６が担持されている。また、リング状の対向電極７には複数の通気孔１４が設けられており、微細水滴１２の一部は悪臭物質を吸着したフィルタ材１３に付着し、悪臭物質を分解する効果を有する。
【００８５】
図２にノズルの先端部から水滴が霧化する模式を示す。金属製のノズル６の先端部断面は、水の吐出する方向に対して直角になっている。本実施例では長さ２０ｍｍの真っ直ぐなノズルを使用しているが、先端部断面が水の吐出方向に対して直角であれば、ノズル６の長さ及び形状は特に制限はない。また、先端部断面は凹凸やバリのない、滑らかな平面であることが望ましい。断面の加工方法は、滑らかな断面を形成できるのであれば如何なる加工方法でも良い。ノズル６の内径は、本実施例では０．４ｍｍのものを使用しているが、おおよそ０．１ｍｍから１ｍｍの範囲にあれば良く、電圧を印加した際にテーラーコーンが形成されるようにすることが重要である。このとき、高電圧が印加されたノズルの先端から押出された液滴１０は、表面電荷密度が臨界値に達し、電荷の総和を大きく保つために表面積を増やそうとする静電気力と、液体に働く表面張力の相互作用によりテーラーコーンを形成し、その頂点からはノズル６と対向電極７間で形成される電界に引っ張られるように、極細の液糸１１が引き出される。さらに、著しく電荷集中した液糸１１の先端では静電気力が液体の表面張力を打ち消して分裂し、容易に霧化を生じさせることができる。尚、本実施例ではノズル６の材質としてステンレスを用いているが、ある一定の強度と導電性を有するのであれば他の材質のものを用いても効果に差を生じない。
【００８６】
対向電極７はリング状電極とし、ノズル６と同心円上且つ、リング状電極の中心が前記ノズル６の先端部よりも前方に来るように配置されている。ノズル６との位置関係は、空気絶縁が確保できる距離であることが好ましい。より好ましくはノズル６よりも１０ｍｍ〜２０ｍｍ前方である。また、リングの径は２０ｍｍ〜３０ｍｍの範囲であることが好ましく、リング幅は数ｍｍから１０ｍｍの範囲であることが好ましい。対向電極７の外周には脱臭剤１５を担持したフィルタ材１３が配置され、さらに脱臭剤１５には触媒物質１６が担持されており、送風機９によって運ばれてきた空気中の悪臭ガスを脱臭する作用を有する。同時に、静電霧化によって生成した微細水滴１２の一部はフィルタ材１３の外表面やその内部に付着し、吸着剤に吸着した悪臭物質を溶解させると同時に微細水滴に内包されたイオンあるいは活性基によって化学反応によって分解され、脱臭剤は再生される。また、触媒物質１６表面に堆積した汚れを微細水滴１２及び微細水滴１２に内包されたイオンあるいは活性基によって浄化されることで触媒物質１６は常に清浄に保たれ、吸着剤１５に吸着した悪臭物質の分解を促進し、再生効率を高めることができるという作用を有する。脱臭剤１５には活性炭やシリカ、ゼオライト、珪藻土など多孔質の無機系吸着剤を用いると良いが、悪臭ガスを吸着する吸着剤であればなんらこれらに限定されるものではなく、また、対象ガスによっては複数の脱臭剤を併用してもよい。また、場合によっては対象ガスに選択的に効果を発揮する化学添着剤を添加してもよい。また、触媒物質１６には白金やパラジウムなどの貴金属あるいは酸化チタンや二酸化マンガン、酸化亜鉛などの金属酸化物を用いると良いが、悪臭物質を酸化分解できる触媒であればなんらこれらに限定されるものではない。また、フィルタ材１３は耐水性を有し、脱臭剤１５を担持できるものであれば良いが、特にハニカム状に形成されたセラミックまたは樹脂繊維混抄紙、不織布、発砲ウレタンフォームであれば空気との接触面積が大きく脱臭能力に優れ、また微細水滴がフィルタ材１３全体に行き渡りやすいので再生効率も高くなるという作用を有する。また、リング状の対向電極７には複数の通気孔１４が設けられており、対向電極７から過剰の電荷を与えられ、更に微細化された微細水滴１２が通気孔１４を通ってフィルタ材１３と容易に接触し、脱臭剤１５に吸着した悪臭物質を分解除去することで脱臭剤を再生する効率を高めるという作用を有する。通気孔１４は対向電極７全体に設けられていることが好ましく、孔の形状や大きさは微細水滴１２が通り抜けられる形状であれば如何なるものでも良いが、あまり小さすぎると孔に水膜を張り、微細水滴が通過できなくなってしまうことから、概ね１ｍｍ〜５ｍｍ程度の孔を設ければ良い。尚、本実施例では対向電極７に孔を設けた形状としているが、スリットを設けたものや、メッシュ状のものを用いてもなんら効果に差異はない。
【００８７】
ポンプ５は様々な形態のものを用いてもその効果に差は生じないが、圧電素子と隔壁で構成されたダイヤフラム式マイクロポンプを用いることによって装置の小型化を実現することができる。動作電圧２５〜３００Ｖ、動作周波数１〜６０Ｈｚの範囲で電圧を印加することで水の供給量を任意に制御することが可能で、また消費電力は数Ｗと非常に小さいことが特徴である。また、このときポンプの流量は最小数十μｌ／ｍｉｎから最大約１５００μｌ／ｍｉｎの範囲で変化させることが可能であり、ノズルの径に合わせて流量を調整し、確実にテーラーコーンを形成することが可能である。また、ポンプの最大排圧は４５ｋＰａ以上であるため、ノズルの径が小さくとも先端から水滴を吐出させるには十分の排圧を有している。また、ポンプの大きさはおよそ２０ｍｍ角、厚さ５ｍｍ以下であり非常に小型であるため装置の小型化を実現することが可能となる。
【００８８】
電圧印加部８は、本実施例では高圧直流電源を使用し、ノズル６に−６ｋＶ〜−８ｋＶの直流電圧を印加し、対向電極はアースに接続している。尚、テーラーコーンが形成され得るのであれば、印加する電圧として、交流電圧やパルス電圧を印加しても効果に差異はない。
【００８９】
本発明によって得られた図１の構成を持つ空気浄化装置１を用いて、６４リットルのチャンバー内でアンモニアの脱臭試験を行った。試験方法として、６４リットルのアクリルボックス（４０ｃｍ×４０ｃｍ×４０ｃｍ）の中央に空気浄化装置を設置し、アンモニア水溶液を揮発させてアクリルボックス内に充満させた状態で装置を作動させたのち、アンモニアの濃度を時間ごとに測定してその濃度変化を見た。尚、今回の試験では微細水滴の脱臭能力を確認することを主旨としたため、フィルタ材は取り除いた状態で試験を行った。比較対照として、装置がない場合および放電のみを行った場合についても同様に測定した。印加電圧は−６ｋＶとし、アンモニア濃度は検知管を用いて測定した。結果を表１に示す。
【００９０】
【表１】
2006305321.tif 000003
表１に示すように、装置を作動させた場合、装置がない場合と比較して有為な差が確認された。また、放電のみを行った場合、装置がない場合とほとんど差は見られず、本発明における空気浄化装置が空間におけるアンモニア臭気成分の除去に有効であることがわかった。尚、このときポンプによる水の搬送量はおよそ７０μｌ／ｍｉｎであり、３０分間の運転時間でも僅か２ｍｌ程度の噴霧量であることから、湿度にはほとんど影響を与えることはない。
【００９１】
（実施の形態２）
図１と同じ概略構造を持ち、対向電極がノズルの先端部よりも後方に来るように配置した空気浄化装置の構成を図３を用いて説明する。
【００９２】
本実施形態においては、リング状の対向電極７がノズル６と同心円上且つ、前記対向電極７の中心が前記ノズル６の先端部よりも後方に来るように配置されている。こうすることで静電霧化によりイオン化した微細水滴１２は後方から対向電極７による引力を受け、微細水滴１２がノズル６を中心として同心円上に広角に拡散される。そのため、凝集によって水滴を大きくさせることなく、微細水滴１２を室内に供給することができる。リング状対向電極７はノズル６先端より１０ｍｍ〜２０ｍｍ後方に配置することが望ましく、リングの径は３０ｍｍ〜４０ｍｍが望ましい。対向電極７の外周には脱臭剤１５を担持したフィルタ材１３が配置され、さらに脱臭剤１５には触媒物質１６が担持されており、送風機９によって運ばれてきた空気中の悪臭ガスを脱臭する作用を有する。同時に、静電霧化によって生成した微細水滴１２の一部は、後方から対向電極７による引力を受けてフィルタ材１３の外表面やその内部に付着し、脱臭剤１５に吸着した悪臭物質を溶解させると同時に微細水滴１２に内包されたイオンあるいは活性基によって化学反応によって分解され、脱臭剤１５は再生される。また、触媒物質１６表面に堆積した汚れを微細水滴１２及び微細水滴１２に内包されたイオンあるいは活性基によって浄化されることで触媒物質１６は常に清浄に保たれ、脱臭剤１５に吸着した悪臭物質の分解を促進し、再生効率を高めることができるという作用を有する。
【００９３】
（実施の形態３）
次に、図４に示す実施の形態の例について説明する。本実施例の空気浄化装置１は、水を溜める容器２をノズル６の上部に配置し、容器２とノズル６を接合することで、容器内の水３の自重によってノズル６先端に水を搬送する仕組みになっている。こうすることで液体搬送装置を別途用いなくとも、容易にノズル６先端に水を搬送することが可能であり、装置の簡略化、コスト低下になる。ノズル６への搬送スピードは容器２とノズル６の接合部位に抵抗体１７を設けることで制御できる。抵抗体としては砂のような微粒子を敷き詰めたものや、多孔体セラミック、あるいは濾紙のようなものが挙げられるが、テーラーコーンが形成され得る搬送スピードになるものならば材質等に制限はない。また、その抵抗体１７に抗菌剤等を含ませて抗菌作用を持たせたるのも良い。また、イオン交換樹脂を充填させて水中のカルシウムやマグネシウムなどのイオンを取り除く作用を持たせるのも良い。
【００９４】
（実施の形態４）
図５、図６を用いて本発明の空気浄化装置を備えた空気清浄機の構成を説明する。図５は空気清浄機の側面断面図であり、図６は正面断面図である。
【００９５】
フィルタ２０の後方にファン２１を搭載した空気清浄機１８において、ファン２１の下流側に空気浄化装置１を設置し、吸い込み口１９より導入された空気をフィルタ２０で清浄化した後、吹き出し口２２より送風する際、空気浄化装置１より噴霧した微細水滴１２を送風に乗せて室内空間に供給する仕組みとなっている。図５に示す実施形態ではファン２１の上方に空気浄化装置１を配置して、吹き出し口２２から微細水滴１２を放出しているが、空気浄化装置１がファン２１の下流側にあり、吹き出し口２２より微細水滴１２を放出できる形態であるならば、特に配置は制限しない。イオンおよび活性基を含んだ微細水滴１２を室内に供給することによって、取り込んだ空気中に含まれる粉塵や臭気成分、もしくは菌やウィルス、アレルゲン等を空気清浄フィルタによって分離、除去、不活化するのみならず、室内空間に存在するこれら有害成分をも分解もしくは不活化することが可能である。
【００９６】
（実施の形態５）
図７を用いて本発明の空気浄化装置を備えた加湿装置の構成を説明する。
【００９７】
ファン２１の下流側に空気加熱手段２４を備えた加湿装置２３において、空気加熱手段２４のさらに下流側に空気浄化装置１を設置し、空気加熱手段２４によって温められた乾燥空気が吹き出し口２２より送風される際、水槽２５から導入され、空気浄化装置１によって噴霧された微細水滴１２を素早く気化させ、加湿された空気を室内空間に供給する仕組みとなっている。
【００９８】
本実施形態において、加湿フィルタ等の加湿構造体を必要とせず、加湿装置本体の小型化が可能となる。また、図７に示す本実施形態では空気加熱手段２４をファン２１と空気浄化装置１の間に設けているが、加熱しなくても微細水滴１２による加湿効果は十分あるため、室内空間の湿度に合わせて空気加熱手段２４を作動あるいは停止させることで消費電力の削減にも効果がある。
【産業上の利用可能性】
【００９９】
本発明の空気浄化装置を用いることにより、小型、軽量、低コスト、低騒音でありながら、室内の除菌、脱臭、殺菌能力の高い空気浄化装置を提供することができ、家庭用、業務用の空気清浄機やエアコンなどに搭載することで、フィルタだけでは取りきれない汚れや臭いも浄化し、快適な室内環境の実現が期待できる。さらにフィルタで吸着した悪臭物質については空気浄化装置より発生した微細水滴によって分解することができるため、フィルタは再生され、メンテナンス性にも優れた製品を提供することができる。また、加湿フィルタを設けなくとも空気を浄化しながら加湿できる加湿装置としての利用も期待できる。
【図面の簡単な説明】
【０１００】
【図１】本発明の実施の形態１の空気浄化装置の概略断面図
【図２】同静電霧化部の概略図
【図３】本発明の実施の形態２の空気浄化装置の概略断面図
【図４】本発明の実施の形態３の空気浄化装置の概略断面図
【図５】本発明の実施の形態４の空気清浄機の側面断面図
【図６】同正面断面図
【図７】本発明の実施の形態５の加湿装置の断面図
【符号の説明】
【０１０１】
１    空気浄化装置
２    容器
３    水
４    水路
５    ポンプ
６    ノズル
７    対向電極
８    電圧印加部
９    送風機
１０  液滴
１１  液糸
１２  微細水滴
１３  フィルタ材
１４  通気孔
１５  脱臭剤
１６  触媒物質
１７  抵抗体
１８  空気清浄機
１９  吸い込み口
２０  フィルタ
２１  ファン
２２  吹き出し口
２３  加湿装置
２４  空気加熱手段
２５  水槽
【図１】
2006305321.tif 000004
【図２】
2006305321.tif 000005
【図３】
2006305321.tif 000006
【図４】
2006305321.tif 000007
【図５】
2006305321.tif 000008
【図６】
2006305321.tif 000009
【図７】
2006305321.tif 000010